(57)【特許請求の範囲】
【請求項１】
目地部を介して設けられた両側壁を有する左右の躯体間の目地部を、該左右の躯体が異なる前後方向に揺れ動いても、その揺れ動きを重なって吸収することができる目地プレートを用いた上部目地装置と、前記左右の躯体が異なる前後方向に揺れ動いた場合に、該左右の躯体の側壁部分に生ずる隙間を覆うことができる一方の目地部躯体の両側壁側の、前記上部目地装置の下部位置に設けられた先端部が他方の目地部側躯体に前後方向に移動可能に常時当接する伸縮可能なプレートを用いた第１の端部目地装置と、他方の目地部側躯体の両側壁側の前記第１の端部目地装置の下部位置に設けられた先端部が一方の目地部側躯体に前後方向に移動可能に常時当接する伸縮可能なプレートを用いた第２の端部目地装置とを備えたことを特徴とする床用目地装置。
【請求項２】
上部目地装置の左右の躯体の側壁と当接する両端部の目地プレートは、隣りの目地プレートへもぐり込めるように左右の躯体間の目地部を覆うように取付けられていることを特徴とする請求項１記載の床用目地装置。
【発明の詳細な説明】
【技術分野】
【０００１】
本発明は目地部を介して設けられた両側壁を有する左右の躯体間の床面を並列させた複数個の目地プレートで覆う床用目地装置に関する。
【背景技術】
【０００２】
従来、左右の躯体に側壁が設けられた部位の床用目地装置は、異なる前後方向の左右の躯体の揺れ動きを吸収するために、側壁と当接する両端部の目地プレートを、揺れ動き時に隣りの目地プレートへもぐり込ませて、その揺れ動きを吸収するものが考えられている。
【０００３】
しかしながら、異なる前後方向に左右の躯体が揺れ動き、両端部の目地プレートが左右の躯体の側壁に当接した状態で移動すると、左右の躯体の側壁間に隙間が生じ、危険になるという欠点があった。
【特許文献１】特になし
【発明の開示】
【発明が解決しようとする課題】
【０００４】
本発明は以上のような従来の欠点に鑑み、左右の躯体が異なる前後方向に揺れ動いても、左右の躯体の両側壁間に隙間が生じて危険になるのを確実に防止することができ、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた両側壁を有する左右の躯体間の目地部を、該左右の躯体が異なる前後方向に揺れ動いても、その揺れ動きを重なって吸収することができる目地プレートを用いた上部目地装置と、前記左右の躯体が異なる前後方向に揺れ動いた場合に、該左右の躯体の側壁部分に生ずる隙間を覆うことができる一方の目地部躯体の両側壁側の、前記上部目地装置の下部位置に設けられた先端部が他方の目地部側躯体に前後方向に移動可能に常時当接する伸縮可能なプレートを用いた第１の端部目地装置と、他方の目地部側躯体の両側壁側の前記第１の端部目地装置の下部位置に設けられた先端部が一方の目地部側躯体に前後方向に移動可能に常時当接する伸縮可能なプレートを用いた第２の端部目地装置とで床用目地装置を構成している。
【発明の効果】
【０００７】
以上の説明から明らかなように、本発明にあっては次に列挙する効果が得られる。
【０００８】
（１）左右の躯体が異なる前後方向へ揺れ動くと、左右の躯体の両端部の側壁によって上部目地プレートの前後方向の幅寸法が小さくなって、その揺れ動きを吸収するが、左右の躯体の両端部の側壁間に隙間が生じるが、第１の端部目地装置と第２の端部目地装置でその隙間を覆うことができる。
したがって、左右の躯体が異なる前後方向へ揺れ動いても、左右の躯体の両端部の側壁間に隙間が生じるのを確実に防止でき、安全に使用することができる。
【０００９】
（２）第１の端部目地装置と第２の端部目地装置は左右の躯体の両端部の側壁部位に設置すればよいので、容易に設置することができる。
【発明を実施するための最良の形態】
【００１０】
以下、図面に示す本発明を実施するための最良の形態により、本発明を詳細に説明する。
【００１１】
図１ないし図１１に示す本発明を実施するための最良の第１の形態において、１は本発明の床用目地装置で、この床用目地装置１は目地部２を介して設けられた両側壁３、３、３、３を有する左右の躯体４、４間の目地部２を覆う、後端部が目地プレート支持凹部５に設けられた複数個のローラ６により前後方向に移動可能に支持され、先端部が反目地部側が傾斜面７に形成された目地プレートスライド支持凹部８に支持され、地震で異なる前後方向に揺れ動いた場合、一部が重なってその揺れ動きを吸収することができる並列された複数個、本実施の形態では７個の先端部が傾斜面９で、後端部に下部が開口するガイドレール１０を有する目地プレート１１を用いた上部目地装置１２と、前記左右の躯体４、４が異なる前後方向に揺れ動いた場合に、該左右の躯体４、４の側壁３、３、３、３部分に生ずる隙間を覆うことができる一方の目地部側躯体４の両側壁３、３の、前記上部目地装置１２の下部位置に設けられた先端部が他方の目地部側躯体４に前後方向に移動可能に常時当接する伸縮可能なカバー体１３を用いた第１の端部目地装置１４、１４と、他方の目地部側躯体４の両側壁３、３側の前記第１の端部目地装置１４、１４の下部位置に設けられた先端部が一方の目地部側躯体４に前後方向に移動可能に常時当接する伸縮可能なカバー体１５を用いた第２の端部目地装置１６、１６とで構成されている。
【００１２】
前記上部目地装置１２の７個の目地プレート１１、１１、１１、１１、１１、１１、１１は、両端部の目地プレート１１、１１は常時側壁３、３、３、３に当接するように付勢スプリング１７、１７で付勢され、内側の側面は下部が外方へ突出する傾斜面１８、１８に形成されている。
また、この両端部の目地プレート１１、１１と隣り合う目地プレート１１、１１は、前記傾斜面１８、１８と面接触する傾斜面１９、１９に形成されているとともに、隣りの目地プレート１１、１１とヒンジ部材２０、２０を介して、両端部の目地プレート１１、１１側が上方へ回動できるように設置されている。
なお、前記両端部の目地プレート１１、１１以外の並列される目地プレート１１、１１、１１、１１、１１はヒンジ部材を用いて接続しておいてもよい。  
【００１３】
前記第１の端部目地装置１４、１４は図４に示すように、一方の目地部側躯体４の両側壁３、３側の、前記上部目地装置１２の下部位置に軸心方向が左右方向となるように所定間隔、なるべく隙間なく並列状態で設けられたガイド筒２１、２１、２１、２１、２１と、このガイド筒２１、２１、２１、２１、２１内に設けられたコイルスプリング２２、２２、２２、２２、２２で、常時突出するように付勢され、他方の目地部側躯体４に押し圧され、かつ前後方向へスライド移動できるローラ２３が設けられた、地震時に生ずる隙間を覆うことができるカバー体１３を構成するスライド支持体２４、２４、２４、２４、２４とで構成されている。
【００１４】
前記第２の端部目地装置１６、１６は図５に示すように、他方の目地部側躯体４の両側壁３、３側の前記第１の端部目地装置１４、１４の下部位置に軸心方向が左右方向となるように所定間隔、なるべく隙間なく並列状態で設けられたガイド筒２５、２５、２５、２５、２５と、このガイド筒２５、２５、２５、２５、２５内に設けられたコイルスプリング２６、２６、２６、２６、２６で、常時突出するように付勢され、一方の目地部側躯体４に押し圧され、かつ前後方向にスライド移動できるローラ２７が設けられた、地震時に生ずる隙間を覆うことができるカバー体１５を構成するスライド支持体２８、２８、２８、２８、２８とで構成されている。
【００１５】
上記構成の床用目地装置１は地震によって、左右の躯体４、４が左右方向に揺れ動いた場合、目地プレート１１、１１、１１、１１、１１、１１、１１の先端部は、図６および図７に示すように目地プレートスライド支持凹部８内を左右方向にスライド移動して、その揺れ動きを吸収する。
【００１６】
地震によって左右の躯体４、４が異なる前後方向に揺れ動いた場合、図８ないし図１１に示すように上部目地装置１２の両端部の目地プレート１１、１１は一方の躯体４の側壁３と、他方の躯体４の側壁３とによって両端部の目地プレート１１、１１の上部に隣りの目地プレート１１、１１が乗り上げた状態の上部目地装置１２の幅寸法が小さくなった状態となる。
このため、一方の躯体４の側壁３と、他方の躯体４の側壁３の外側部分に隙間が生じるが、図８および図１０に示すように第１の端部目地装置１４、１４で覆うとともに、この第１の端部目地装置１４、１４で覆うことができない所は、第２の端部目地装置１６、１６で覆い、左右の躯体４、４の側壁３、３、３、３の外側部分に安全を脅かす隙間が生じるのを確実に防止することができる。
[発明を実施するための異なる形態]
【００１７】
次に、図１２ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１２ないし図１５に示す本発明を実施するための第２の形態において、前記本発明を実施するための最良の第１の形態と主に異なる点は、スライド支持体２４、２４、２４、２４、２４の先端部にローラ２９、２９が取付けられたスライドバー３０を固定するとともに、該スライドバー３０を常時他方の目地部側躯体４に押し圧できるように、２個以上のガイド筒２１、２１内にスライド支持体２４、２４を押し圧するコイルスプリング２２、２２を設けた第１の端部目地装置１４Ａ、１４Ａと、スライド支持体２８、２８、２８、２８、２８の先端部にローラ３１、３１が取付けられたスライドバー３２を固定するとともに、該スライドバー３２を常時一方の目地部側躯体４に押し圧できるように、２個以上のガイド筒２５、２５内にスライド支持体２８、２８を押し圧するコイルスプリング２６、２６を設けた第２の端部目地装置１６Ａ、１６Ａとを用いた点で、このような第１・第２の端部目地装置１４Ａ、１４Ａ、１６Ａ、１６Ａを用いて構成した床用目地装置１Ａにしても、前記本発明を実施するための最良の第１の形態と同様な作用効果が得られる。
【００１９】
図１６ないし図１９に示す本発明を実施するための第３の形態において、前記本発明を実施するための最良の第１の形態と主に異なる点は、スライド支持体２４、２４、２４、２４、２４の先端部にスライドバー３０Ａを固定し、このスライドバー３０Ａをローラあるいはスベリ材３７を介して前後方向にスライド移動可能に支持するガイドレール３３を他方の目地部側躯体４に固定した第１の端部目地装置１４Ｂ、１４Ｂと、スライド支持体２８、２８、２８、２８、２８の先端部にスライドバー３２Ａを固定し、このスライドバー３２Ａをローラあるいはスベリ材３７を介して前後方向にスライド移動可能に支持するガイドレール３４を一方の目地部側躯体４に固定した第２の端部目地装置１６Ｂ、１６Ｂとを用いた点で、このような第１・第２の端部目地装置１４Ｂ、１４Ｂ、１６Ｂ、１６Ｂを用いて構成した床用目地装置１Ｂにしても、前記本発明を実施するための最良の第１の形態と同様な作用効果が得られる。
【００２０】
図２０ないし図２３に示す本発明を実施するための第４の形態において、前記本発明を実施するための第３の形態と主に異なる点は、一方の目地部側躯体４に薄箱状のガイド筒３５、３５を設けるとともに、このガイド筒３５、３５内のほぼ中央部に先端部が位置するガイドレール３３、３３に前後方向にスライド移動可能に取付けられた板状のカバー体１３Ａ、１３Ａを用いた第１の端部目地装置１４Ｃ、１４Ｃと、他方の目地部側躯体４に薄箱状のガイド筒３６、３６を設けるとともに、このガイド筒３６、３６内のほぼ中央部に先端部が位置するガイドレール３４、３４に前後方向にスライド移動可能に取付けられた板状のカバー体１５Ａ、１５Ａを用いた第２の端部目地装置１６Ｃ、１６Ｃとを用いた点で、このような第１・第２の端部目地装置１４Ｃ、１４Ｃ、１６Ｃ、１６Ｃを用いて構成した床用目地装置１Ｃにしても、前記本発明を実施するための第３の形態と同様な作用効果が得られる。
【００２１】
なお、前記本発明を実施するための各形態では、目地プレート支持凹部および目地プレートスライド支持凹部を躯体に形成して、上部目地装置を設置するものについて説明したが、本発明はこれに限らず、両端部の目地プレートが側壁の押し圧力で内側方向へ押し圧され、重なり合うように配置されたものを用いるものであれば、目地プレート支持凹部や目地プレートスライド支持凹部が形成されていない左右の躯体にでも設置することができる。
【産業上の利用可能性】
【００２２】
本発明は床用目地装置を製造する産業で利用される。
【図面の簡単な説明】
【００２３】
【図１】本発明を実施するための最良の第１の形態の平面図。
【図２】図１の２−２線に沿う断面図。
【図３】図１の３−３線に沿う断面図。
【図４】本発明を実施するための最良の第１の形態の第１の端部目地装置の説明図。
【図５】本発明を実施するための最良の第１の形態の第２の端部目地装置の説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための最良の第１の形態の異なる前後方向に動いた状態の平面図。
【図９】図８の９−９線に沿う断面図。
【図１０】図８とは異なる前後方向に動いた状態の平面図。
【図１１】図１０の１１−１１線に沿う断面図。
【図１２】本発明を実施するための第２の形態の平面図。
【図１３】図１２の１３−１３線に沿う断面図。
【図１４】本発明を実施するための第２の形態の第１の端部目地装置の説明図。
【図１５】本発明を実施するための第２の形態の第２の端部目地装置の説明図。
【図１６】本発明を実施するための第３の形態の平面図。
【図１７】図１６の１７−１７線に沿う断面図。
【図１８】本発明を実施するための第３の形態の第１の端部目地装置の説明図。
【図１９】本発明を実施するための第３の形態の第２の端部目地装置の説明図。
【図２０】本発明を実施するための第４の形態の平面図。
【図２１】図２０の２１−２１線に沿う断面図。
【図２２】本発明を実施するための第４の形態の第１の端部目地装置の説明図。
【図２３】本発明を実施するための第４の形態の第２の端部目地装置の説明図。
【符号の説明】
【００２４】
１、１Ａ、１Ｂ、１Ｃ：床用目地装置、
２：目地部、                  ３：側壁、
４：躯体、                    ５：目地プレート支持凹部、        
６：ローラ、                  ７：傾斜面、
８：目地プレートスライド支持凹部、
９：傾斜面、                  １０：ガイドレール、
１１：目地プレート、          １２：上部目地装置、
１３、１３Ａ：カバー体、
１４、１４Ａ、１４Ｂ、１４Ｃ：第１の端部目地装置、
１５、１５Ａ：カバー体、
１６、１６Ａ、１６Ｂ、１６Ｃ：第２の端部目地装置、
１７：付勢スプリング、        １８：傾斜面、
１９：傾斜面、                ２０：ヒンジ部材、
２１：ガイド筒、              ２２：コイルスプリング、
２３：ローラ、                ２４：スライド支持体、
２５：ガイド筒、              ２６：コイルスプリング、
２７：ローラ、                ２８：スライド支持体、
２９：ローラ、                ３０、３０Ａ：スライドバー、
３１：ローラ、                ３２、３２Ａ：スライドバー、
３３：ガイドレール、          ３４：ガイドレール、
３５：ガイド筒、              ３６：ガイド筒。
【図１】
0004944838.tif 000002
【図２】
0004944838.tif 000003
【図３】
0004944838.tif 000004
【図４】
0004944838.tif 000005
【図５】
0004944838.tif 000006
【図６】
0004944838.tif 000007
【図７】
0004944838.tif 000008
【図８】
0004944838.tif 000009
【図９】
0004944838.tif 000010
【図１０】
0004944838.tif 000011
【図１１】
0004944838.tif 000012
【図１２】
0004944838.tif 000013
【図１３】
0004944838.tif 000014
【図１４】
0004944838.tif 000015
【図１５】
0004944838.tif 000016
【図１６】
0004944838.tif 000017
【図１７】
0004944838.tif 000018
【図１８】
0004944838.tif 000019
【図１９】
0004944838.tif 000020
【図２０】
0004944838.tif 000021
【図２１】
0004944838.tif 000022
【図２２】
0004944838.tif 000023
【図２３】
0004944838.tif 000024